【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
テロップの表示態様を定めるテンプレートを記憶する記憶部と、
テンプレートを選択するためのユーザインタフェース、およびテンプレートを設定するためのユーザインタフェースを提供するＵＩ提供部と、
前記ＵＩ提供部から提供されたユーザインタフェースにおける選択結果に基いて、前記記憶部において記憶されたテンプレートを選択する選択部と、
テロップに表示する素材データを取得する素材データ取得部と、
前記素材データ取得部において取得された素材データに対して、前記選択部において選択されて前記ＵＩ提供部から提供されたユーザインタフェースにおいて設定されたテンプレートを適用してテロップデータを制作する制作部と、
前記制作部において制作されたテロップデータを含む提供データを提供する提供部と
を備え、
前記ＵＩ提供部は、前記素材データ取得部において取得された文字データに応じて文字の表示範囲の大きさが自動的に調整されたテロップの表示態様を確認するためのユーザインタフェースをさらに提供する、情報処理装置。
【請求項２】
テロップの表示態様を定めるテンプレートを記憶する記憶部と、
テンプレートを選択するためのユーザインタフェース、およびテンプレートを設定するためのユーザインタフェースを提供するＵＩ提供部と、
前記ＵＩ提供部から提供されたユーザインタフェースにおける選択結果に基いて、前記記憶部において記憶されたテンプレートを選択する選択部と、
テロップに表示する素材データを取得する素材データ取得部と、
前記素材データ取得部において取得された素材データに対して、前記選択部において選択されて前記ＵＩ提供部から提供されたユーザインタフェースにおいて設定されたテンプレートを適用してテロップデータを制作する制作部と、
前記制作部において制作されたテロップデータを含む提供データを提供する提供部と
を備え、
前記ＵＩ提供部は、前記素材データ取得部において取得された文字データの文字数に応じて固定された表示範囲における文字のサイズが自動的に調整されたテロップの表示態様を確認するためのユーザインタフェースをさらに提供する、情報処理装置。
【請求項３】
前記ＵＩ提供部は、複数のテンプレートを選択するためのユーザインタフェースを提供し、
前記制作部は、前記選択部において選択された複数のテンプレートを適用して複数のテロップデータを制作する、請求項１または２に記載の情報処理装置。
【請求項４】
ネットワークを介して接続された端末との通信を制御する通信制御部と、
前記通信制御部を用いて前記端末の利用者を認証する認証部と
をさらに備え、
前記選択部は、前記認証部において認証された利用者に応じてテンプレートを選択する、請求項１から３のいずれか一項に記載の情報処理装置。
【請求項５】
情報処理装置において実行される情報処理方法であって、
テロップの表示態様を定めるテンプレートを記憶する記憶ステップと、
テンプレートを選択するためのユーザインタフェース、およびテンプレートを設定するためのユーザインタフェースを提供するＵＩ提供ステップと、
前記ＵＩ提供ステップにおいて提供されたユーザインタフェースにおける選択結果に基いて、前記記憶ステップにおいて記憶されたテンプレートを選択する選択ステップと、
テロップに表示する素材データを取得する素材データ取得ステップと、
前記素材データ取得ステップにおいて取得された素材データに対して、前記選択ステップにおいて選択されて前記ＵＩ提供ステップにおいて提供されたユーザインタフェースにおいて設定されたテンプレートを適用してテロップデータを制作する制作ステップと、
前記制作ステップにおいて制作されたテロップデータを含む提供データを提供する提供ステップと
を含み、
前記ＵＩ提供ステップにおいて、前記素材データ取得ステップにおいて取得された文字データに応じて文字の表示範囲の大きさが自動的に調整されたテロップの表示態様を確認するためのユーザインタフェースをさらに提供する、情報処理方法。
【請求項６】
情報処理装置において実行される情報処理方法であって、
テロップの表示態様を定めるテンプレートを記憶する記憶ステップと、
テンプレートを選択するためのユーザインタフェース、およびテンプレートを設定するためのユーザインタフェースを提供するＵＩ提供ステップと、
前記ＵＩ提供ステップにおいて提供されたユーザインタフェースにおける選択結果に基いて、前記記憶ステップにおいて記憶されたテンプレートを選択する選択ステップと、
テロップに表示する素材データを取得する素材データ取得ステップと、
前記素材データ取得ステップにおいて取得された素材データに対して、前記選択ステップにおいて選択されて前記ＵＩ提供ステップにおいて提供されたユーザインタフェースにおいて設定されたテンプレートを適用してテロップデータを制作する制作ステップと、
前記制作ステップにおいて制作されたテロップデータを含む提供データを提供する提供ステップと
を含み、
前記ＵＩ提供ステップにおいて、前記素材データ取得ステップにおいて取得された文字データの文字数に応じて固定された表示範囲における文字のサイズが自動的に調整されたテロップの表示態様を確認するためのユーザインタフェースをさらに提供する、情報処理方法。
【請求項７】
コンピュータに、
テロップの表示態様を定めるテンプレートを記憶する記憶機能と、
テンプレートを選択するためのユーザインタフェース、およびテンプレートを設定するためのユーザインタフェースを提供するＵＩ提供機能と、
前記ＵＩ提供機能において提供されたユーザインタフェースにおける選択結果に基いて、前記記憶機能において記憶されたテンプレートを選択する選択機能と、
テロップに表示する素材データを取得する素材データ取得機能と、
前記素材データ取得機能において取得された素材データに対して、前記選択機能において選択されて前記ＵＩ提供機能において提供されたユーザインタフェースにおいて設定されたテンプレートを適用してテロップデータを制作する制作機能と、
前記制作機能において制作されたテロップデータを含む提供データを提供する提供機能と
を実現させて、
前記ＵＩ提供機能において、前記素材データ取得機能において取得された文字データに応じて文字の表示範囲の大きさが自動的に調整されたテロップの表示態様を確認するためのユーザインタフェースをさらに提供する、情報処理プログラム。
【請求項８】
コンピュータに、
テロップの表示態様を定めるテンプレートを記憶する記憶機能と、
テンプレートを選択するためのユーザインタフェース、およびテンプレートを設定するためのユーザインタフェースを提供するＵＩ提供機能と、
前記ＵＩ提供機能において提供されたユーザインタフェースにおける選択結果に基いて、前記記憶機能において記憶されたテンプレートを選択する選択機能と、
テロップに表示する素材データを取得する素材データ取得機能と、
前記素材データ取得機能において取得された素材データに対して、前記選択機能において選択されて前記ＵＩ提供機能において提供されたユーザインタフェースにおいて設定されたテンプレートを適用してテロップデータを制作する制作機能と、
前記制作機能において制作されたテロップデータを含む提供データを提供する提供機能と
を実現させて、
前記ＵＩ提供機能において、前記素材データ取得機能において取得された文字データの文字数に応じて固定された表示範囲における文字のサイズが自動的に調整されたテロップの表示態様を確認するためのユーザインタフェースをさらに提供する、情報処理プログラム。